(57)【要約】【課題】点流速をより正確に検出することができる点流速検出装置を提供する。【解決手段】点流速センサ用カバー１６の天板部１６１は、ケース１０１の天面を覆う。傾斜部１６２ａは、ケース１０１の上流側側面を覆い、点流速センサ１０から離れた位置から点流速センサ１０に近付くに従って、設置面側から天板部１６１側へと向かうように傾斜して天板部１６１に繋がる。傾斜部１６２ｂは、ケース１０１の逆流側側面を覆い、点流速センサ１０から離れた位置から点流速センサ１０に近付くに従って、設置面側から天板部１６１側へと向かうように傾斜して天板部１６１に繋がる。フランジ１６３ａは、天板部１６１と傾斜部１６２ａ及び１６２ｂにおける少なくともケース１０１の下面側の側端部に設けられ、天板部１６１と傾斜部１６２ａ及び１６２ｂの面と直交する方向に突出する。【選択図】図５
2022003313.tif 000002
【特許請求の範囲】
【請求項１】
水流の点流速を検出する点流速センサと、
前記点流速センサを覆う点流速センサ用カバーと、
を備え、
前記点流速センサは、
前記点流速センサを鉛直方向の設置面に取り付けた状態で、鉛直方向と平行の方向の底面と、前記底面と対向する天面と、河床側を向く下面と、前記下面と対向する上面と、前記水流としての順流が当たる側の上流側側面と、前記水流としての逆流が当たる側の逆流側側面とを有し、前記下面に開口が形成されているケースと、
一部が前記開口より前記ケースの外部へと突出し、水流によって前記ケース内に設けられている回転軸を中心として所定の角度の範囲で正方向または逆方向に回転する検知アームと、
を備え、
前記点流速センサ用カバーは、
前記天面を覆う天板部と、
前記上流側側面を覆い、前記点流速センサから離れた位置から前記点流速センサに近付くに従って、前記設置面側から前記天板部側へと向かうように傾斜して前記天板部に繋がる第１の傾斜部と、
前記逆流側側面を覆い、前記点流速センサから離れた位置から前記点流速センサに近付くに従って、前記設置面側から前記天板部側へと向かうように傾斜して前記天板部に繋がる第２の傾斜部と、
前記天板部と前記第１及び第２の傾斜部における少なくとも前記下面側の側端部に設けられ、前記天板部と前記第１及び第２の傾斜部の面と直交する方向に突出するフランジと、
を備える
点流速検出装置。
【請求項２】
前記フランジが前記ケースの前記下面と鉛直方向の同じ位置となるように、前記点流速センサと前記点流速センサ用カバーとが互いに位置決めされている請求項１に記載の点流速検出装置。
【請求項３】
水流の点流速を検出する点流速センサを覆う点流速センサ用カバーであり、
前記点流速センサは、
前記点流速センサを鉛直方向の設置面に取り付けた状態で、鉛直方向と平行の方向の底面と、前記底面と対向する天面と、河床側を向く下面と、前記下面と対向する上面と、前記水流としての順流が当たる側の上流側側面と、前記水流としての逆流が当たる側の逆流側側面とを有し、前記下面に開口が形成されているケースと、
一部が前記開口より前記ケースの外部へと突出し、水流によって前記ケース内に設けられている回転軸を中心として所定の角度の範囲で正方向または逆方向に回転する検知アームと、
を備え、
前記点流速センサ用カバーは、
前記天面を覆う天板部と、
前記上流側側面を覆い、前記点流速センサから離れた位置から前記点流速センサに近付くに従って、前記設置面側から前記天板部側へと向かうように傾斜して前記天板部に繋がる第１の傾斜部と、
前記逆流側側面を覆い、前記点流速センサから離れた位置から前記点流速センサに近付くに従って、前記設置面側から前記天板部側へと向かうように傾斜して前記天板部に繋がる第２の傾斜部と、
前記天板部と前記第１及び第２の傾斜部における少なくとも前記下面側の側端部に設けられ、前記天板部と前記第１及び第２の傾斜部の面と直交する方向に突出するフランジと、
を備える
点流速センサ用カバー。
【発明の詳細な説明】
【技術分野】
【０００１】
本発明は、点流速検出装置及び点流速センサ用カバーに関する。
【背景技術】
【０００２】
特許文献１には、水流によって回転軸を中心として所定の角度の範囲で正逆方向に回転する棒状の検知アームと、検知アームと一体的に回転し、検知アームの角度を検出するための加速度センサとを備える点流速センサが記載されている。
【先行技術文献】
【特許文献】
【０００３】
【特許文献１】特開２０１９−１５８４６３号公報
【発明の概要】
【発明が解決しようとする課題】
【０００４】
特許文献１に記載されている点流速センサにおいて、検知アームはその一部がケースの下面に設けた開口より外部へと突出している。ケースの側面に当たる水流がケースの下面側へと回り込み、検知アームを本来の点流速による力以上の力で回転させてしまい、点流速が不正確に検出されることがある。点流速をより正確に検出することができる点流速検出装置を提供することが望まれる。
【０００５】
本発明は、点流速をより正確に検出することができる点流速検出装置、及び、点流速センサによって点流速をより正確に検出するための点流速センサ用カバーを提供することを目的とする。
【課題を解決するための手段】
【０００６】
本発明は、水流の点流速を検出する点流速センサと、前記点流速センサを覆う点流速センサ用カバーとを備え、前記点流速センサは、前記点流速センサを鉛直方向の設置面に取り付けた状態で、鉛直方向と平行の方向の底面と、前記底面と対向する天面と、河床側を向く下面と、前記下面と対向する上面と、前記水流としての順流が当たる側の上流側側面と、前記水流としての逆流が当たる側の逆流側側面とを有し、前記下面に開口が形成されているケースと、一部が前記開口より前記ケースの外部へと突出し、水流によって前記ケース内に設けられている回転軸を中心として所定の角度の範囲で正方向または逆方向に回転する検知アームとを備え、前記点流速センサ用カバーは、前記天面を覆う天板部と、前記上流側側面を覆い、前記点流速センサから離れた位置から前記点流速センサに近付くに従って、前記設置面側から前記天板部側へと向かうように傾斜して前記天板部に繋がる第１の傾斜部と、前記逆流側側面を覆い、前記点流速センサから離れた位置から前記点流速センサに近付くに従って、前記設置面側から前記天板部側へと向かうように傾斜して前記天板部に繋がる第２の傾斜部と、前記天板部と前記第１及び第２の傾斜部における少なくとも前記下面側の側端部に設けられ、前記天板部と前記第１及び第２の傾斜部の面と直交する方向に突出するフランジとを備える点流速検出装置を提供する。
【０００７】
本発明は、点流速センサを覆う点流速センサ用カバーであり、前記点流速センサは、前記点流速センサを鉛直方向の設置面に取り付けた状態で、鉛直方向と平行の方向の底面と、前記底面と対向する天面と、河床側を向く下面と、前記下面と対向する上面と、前記水流としての順流が当たる側の上流側側面と、前記水流としての逆流が当たる側の逆流側側面とを有し、前記下面に開口が形成されているケースと、一部が前記開口より前記ケースの外部へと突出し、水流によって前記ケース内に設けられている回転軸を中心として所定の角度の範囲で正方向または逆方向に回転する検知アームとを備え、前記点流速センサ用カバーは、前記天面を覆う天板部と、前記上流側側面を覆い、前記点流速センサから離れた位置から前記点流速センサに近付くに従って、前記設置面側から前記天板部側へと向かうように傾斜して前記天板部に繋がる第１の傾斜部と、前記逆流側側面を覆い、前記点流速センサから離れた位置から前記点流速センサに近付くに従って、前記設置面側から前記天板部側へと向かうように傾斜して前記天板部に繋がる第２の傾斜部と、前記天板部と前記第１及び第２の傾斜部における少なくとも前記下面側の側端部に設けられ、前記天板部と前記第１及び第２の傾斜部の面と直交する方向に突出するフランジとを備える点流速センサ用カバーを提供する。
【発明の効果】
【０００８】
本発明の点流速検出装置によれば、点流速をより正確に検出することができる。本発明の点流速センサ用カバーによれば、点流速センサによって点流速をより正確に検出することができる。
【図面の簡単な説明】
【０００９】
【図１】一実施形態の点流速検出装置の一部を構成する点流速センサの蓋を外した状態を示す平面図である。
【図２】図１に示す点流速センサを、ケースを切断した状態で示す側面図である。
【図３】図１に示す点流速センサにおける回転軸周囲の構成を一部断面にて示す拡大図である。
【図４Ａ】図１に示す点流速センサにおける回転体及び加速度センサユニットが正方向に回転した状態におけるケーブルの状態を示す部分平面図である。
【図４Ｂ】図１に示す点流速センサにおける回転体及び加速度センサユニットが逆方向に回転した状態におけるケーブルの状態を示す部分平面図である。
【図５】一実施形態の点流速検出装置を下面から見た平面図である。
【図６】一実施形態の点流速検出装置の一部を構成する点流速センサ用カバー、及び一実施形態の点流速センサ用カバーを示す斜視図である。
【図７】一実施形態の点流速検出装置を正面から見た平面図である。
【図８】点流速センサに接続されたデータ送信部の構成例を示すブロック図である。
【発明を実施するための形態】
【００１０】
以下、一実施形態の点流速検出装置及び点流速センサ用カバーについて、添付図面を参照して説明する。まず、図１〜図４Ｂを用いて、一実施形態の点流速検出装置の一部を構成する点流速センサの構成例を説明する。図１において、点流速センサ１０は、ケース１０１におけるケース本体１０１ａから蓋１０１ｂ（図２参照）を外した状態を示している。ケース本体１０１ａ及び蓋１０１ｂは、例えば合成樹脂によって形成されている。
【００１１】
ケース本体１０１ａの底面に取り付けられた回転軸１２１には、ステンレス板よりなるベース１０３が正逆方向に回転自在に取り付けられている。図１において、反時計方向の回転を正方向（＋方向）の回転とすれば、時計方向の回転が逆方向（−方向）の回転である。ベース１０３が回転軸１２１を中心として回転自在に取り付けられている詳細な構成については後述する。
【００１２】
ベース１０３の表面には、加速度センサユニット１０５が固着されている。加速度センサユニット１０５は、加速度センサ及び回路基板よりなるユニットと、そのユニットが取り付けられている取付部１０５１とより構成されている。加速度センサユニット１０５の取付部１０５１、ベース１０３、及び図２に示す重り板１０７〜１０９は、一対のねじ１０６によって連結されている。重り板１０７〜１０９はステンレス板よりなる。図１または図２に示すように、ベース１０３及び重り板１０７〜１０９は、一対のねじ１１０によって連結されている。
【００１３】
図１及び図２に示すように、重り板１０７の下端部には重り板１０７の面に直交して突出する突出片１０７ａが形成されている。突出片１０７ａには雌ねじが形成された孔が形成されている。検知アーム１１１の上端部には雄ねじが形成されている。検知アーム１１１の上端部の雄ねじを突出片１０７ａの孔の雌ねじに螺合させることによって、検知アーム１１１は重り板１０７に固定されている。結果として、加速度センサユニット１０５と検知アーム１１１とは実質的に一体化されている。
【００１４】
回転軸１２１に回転自在に取り付けられたベース１０３には、重り板１０７〜１０９及び検知アーム１１１が一体化されているので、ベース１０３、重り板１０７〜１０９、及び検知アーム１１１は回転体を構成する。加速度センサユニット１０５は回転体と一体化されているので、加速度センサユニット１０５は回転軸１２１を中心として回転体と一体的に回転する。
【００１５】
ケース１０１（ケース本体１０１ａ）の下面には、細長い四角形の開口１０２が形成されている。ケース１０１の下面は、点流速センサ１０を水中に設置したときに下方（河床側）に向ける面である。検知アーム１１１の一部は、開口１０２よりケース１０１の外部へと突出している。開口１０２は、検知アーム１１１が通る程度のスリットであってもよい。検知アーム１１１が回転する正逆方向の最大角度は、開口１０２の端部の位置によって決まる。
【００１６】
図２または図３に示すように、ケース本体１０１ａの底面（図２の右側面）には、例えば皿ねじよりなる回転軸１２１が取り付けられている。回転軸１２１には、ワッシャ１２２、ナット１２３、軸金具１２４、ステレンスパイプ１２５、ワッシャ１２８、ナット１２９が通されている。ナット１２３及び１２９を回転軸１２１に締め付けることにより、回転軸１２１には、軸金具１２４及びステレンスパイプ１２５がナット１２３とナット１２９との間に挟まれた状態で固定されている。
【００１７】
ステレンスパイプ１２５には、樹脂製の円筒形の無給油ブッシュ１２６が通されている。無給油ブッシュ１２６の直径はステレンスパイプ１２５の直径よりもわずかに大きい。ベース１０３及び補助板１２７に形成された孔には、無給油ブッシュ１２６が嵌め込まれている。補助板１２７はステンレス板よりなり、ベース１０３に溶接されている。ベース１０３に固定された補助板１２７は、回転体の一部を構成する。無給油ブッシュ１２６はベース１０３及び補助板１２７に接着されており、ステレンスパイプ１２５を中心に所定の角度の範囲で一体的に回転する。
【００１８】
なお、補助板１２７は、ベース１０３の厚みが無給油ブッシュ１２６の軸方向の長さよりも格段に小さいため設けているものである。補助板１２７を設けることは必須ではない。
【００１９】
点流速が０ｍ／ｓであるとき、検知アーム１１１は鉛直方向の真下を向いており、この検知アーム１１１の位置が０点である。検知アーム１１１が水流によって図１の右方向（反時計方向）または左方向（時計方向）へと回転すると、加速度センサユニット１０５が回転する。加速度センサユニット１０５が回転すれば、加速度センサユニット１０５は、検知アーム１１１の正方向または逆方向の角度を検出することができる。加速度センサユニット１０５が生成した検知アーム１１１（回転体）の角度を示す検出値（電圧値）は、ケーブル１３１を介して点流速センサ１０の外部へと出力される。
【００２０】
次に、点流速が０ｍ／ｓとなったときに検知アーム１１１を０点に戻しやすくするための具体的な構成について説明する。図１に示すように、ケーブル１３１は、加速度センサユニット１０５の幅方向の中央から引き出されている。ケーブル１３１は、正方向に対応する右方向に向かった後に湾曲して、加速度センサユニット１０５から上方に離れた位置であって幅方向の中央に戻るＵ字状の突出部１３２を有する。さらに、ケーブル１３１は、突出部１３２に連続して、幅方向の中央から逆方向に対応する左方向に向かった後に湾曲して、加速度センサユニット１０５からさらに上方に離れた位置であって幅方向の中央に戻るＵ字状の突出部１３３を有する。
【００２１】
加速度センサユニット１０５の幅方向の中央から引き出されたケーブル１３１に、左方向に向かった後に湾曲して幅方向の中央に戻る突出部１３３を形成し、続けて、右方向に向かった後に湾曲して幅方向の中央に戻る突出部１３２を形成してもよい。
【００２２】
ケーブル１３１には、幅方向の中央から引き出されて正方向と逆方向とのうちの一方の方向に対応する第１の方向に向かった後に湾曲して、加速度センサユニット１０５から離れて幅方向の中央に戻る第１の突出部が形成されればよい。これに加えて、ケーブル１３１には、第１の突出部に連続して、幅方向の中央から正方向と逆方向とのうちの他方の方向に対応する第２の方向に向かった後に湾曲して、加速度センサユニット１０５からさらに離れて幅方向の中央に戻る第２の突出部が形成されればよい。
【００２３】
第１及び第２の突出部とは、ケーブル１３１を引き回すときのケーブル１３１の形状が、加速度センサユニット１０５の幅方向の中央から左右方向に突出しているということである。
【００２４】
ケーブル１３１は、突出部１３３に連続して、加速度センサユニット１０５の幅方向の中央の位置において上方へ直線状に引き回されている。直線状に引き回されたケーブル１３１は、ケーブル固定板１３４によって軸金具１２４に固定されている。ケーブル固定板１３４は、一対のねじ１３５によって軸金具１２４に固定されている。さらに、ケーブル１３１は、ケース本体１０１ａに設けられたケーブル引き出し用パイプ１３６より外部へと引き出されている。
【００２５】
図４Ａは、点流速センサ１０における回転体及び加速度センサユニット１０５が正方向に回転した状態を示している。図４Ｂは、点流速センサ１０における回転体及び加速度センサユニット１０５が逆方向に回転した状態を示している。図４Ａに示すように、回転体及び加速度センサユニット１０５が正方向に回転すると、突出部１３２が広がり、突出部１３３が縮む。図４Ｂに示すように、回転体及び加速度センサユニット１０５が逆方向に回転すると、突出部１３２が縮み、突出部１３３が広がる。
【００２６】
点流速センサ１０が所定の点流速を検出して回転体及び加速度センサユニット１０５が正方向または逆方向に回転した状態で、点流速が０ｍ／ｓとなったとする。すると、一方が広がって他方が縮んだ突出部１３２及び突出部１３３が元の状態に戻ろうとするので、検知アーム１１１は０点に戻りやすくなる。検知アーム１１１は、点流速が０ｍ／ｓとなると即座に０点に戻る。
【００２７】
図１に示す点流速センサ１０においては、ケーブル１３１に第１の方向に突出する突出部と第２の方向に突出する突出部を一対形成しているが、２対以上の突出部を形成してもよい。第１の方向に突出する突出部の数と第２の方向に突出する突出部の数は同じとする必要がある。
【００２８】
図１に示す点流速センサ１０においては、検知アーム１１１を０点に戻しやすくするための好ましい構成として、ベース１０３を、無給油ブッシュ１２６を介して回転軸１２１に取り付けている。ケーブル１３１に突出部１３２及び突出部１３３を設けるのに加えて、ベース１０３を、無給油ブッシュ１２６を介して回転軸１２１に取り付ける構成とすることが好ましい。
【００２９】
図１に示す点流速センサ１０においては、検知アーム１１１を０点に戻しやすくするためのさらに好ましい構成として、回転体及び加速度センサユニット１０５を次のように構成している。加速度センサユニット１０５は、ベース１０３の第１の面（表面）に取り付けられている。ベース１０３の第１の面とは反対側の第２の面（裏面）には、回転体の一部としての重り板１０７〜１０９が取り付けられている。但し、重り板１０７における突出片１０７ａは実質的に第１の面側に位置している。検知アーム１１１は第１の面側に位置している。
【００３０】
ベース１０３の第１の面側に位置する加速度センサユニット１０５、突出片１０７ａ、及び検知アーム１１１の各部の重さとベース１０３に対する位置とによって決まるモーメントを第１のモーメントとする。ベース１０３の第２の面側に位置する重り板１０７〜１０９（突出片１０７ａを除く）の各部の重さとベース１０３に対する位置とによって決まるモーメントを第２のモーメントとする。本実施形態においては、第１のモーメントと第２のモーメントとが８７％均等となるように設定されている。
【００３１】
即ち、回転体及び加速度センサユニット１０５が、ケース本体１０１ａの底面側に傾いたり、蓋１０１ｂ側に傾いたりすることなく、点流速が０ｍ／ｓであるときに検知アーム１１１が鉛直方向の真下を向くように、各部品（加速度センサユニット１０５、重り板１０７〜１０９、検知アーム１１１）の重さ、及び各部品のベース１０３に対する位置を設定している。
【００３２】
図１に示す点流速センサ１０においては、３枚の重り板１０７〜１０９を設けているが、ベース１０３の第１の面側の重さと第２の面側の重さとを均等とするための重り板の枚数は３枚に限定されない。重り板の大きさ及び枚数は設計的な事項である。
【００３３】
次に、図５〜図７を用いて、以上説明した点流速センサ１０を備えて構成される一実施形態の点流速検出装置及び点流速センサ用カバーを説明する。図５に示すように、河川内の所定の構造物３００には、Ｌアングル３０が固定されている。Ｌアングル３０には、断面コ字状の金具１２が取り付けられている。金具１２は、天板部１２０１と、天板部１２０１に対して９０度の角度を有する脚部１２０２ａ及び１２０２ｂとを有する。金具１２は、１枚のステンレス板を折り曲げることによって形成されている。
【００３４】
図５は、左岸取り付けの例を示している。右岸取り付けの場合には、Ｌアングル３０を左右逆にして構造物３００に固定し、Ｌアングル３０に金具１２を取り付ければよい。
【００３５】
金具１２の天板部１２０１の一方の端部には、皿ねじ１４ａによって連結板１３ａが取り付けられており、天板部１２０１の他方の端部には、皿ねじ１４ｂによって連結板１３ｂが取り付けられている。連結板１３ａ及び１３ｂは、天板部１２０１と平行な第１の部分１３０１と、第１の部分１３０１に対して９０度を越える角度を有して構造物３００の方向へと向かう第２の部分１３０２とを有する。天板部１２０１には、第１の部分１３０１の端部が皿ねじ１４ａ及び１４ｂによって固定されている。連結板１３ａ及び１３ｂは、各１枚のステンレス板を折り曲げることによって形成されている。
【００３６】
天板部１２０１には、上述した点流速センサ１０が図示していないねじ等によって固定されている。点流速センサ用カバー１６は、金具１２及び点流速センサ１０を覆っている。図６は、点流速センサ用カバー１６を示す斜視図である。図５及び図６に示すように、点流速センサ用カバー１６は、天板部１６１と、天板部１６１に対して９０度を越える角度を有して構造物３００の方向へと向かう傾斜部１６２ａ及び１６２ｂとを有する。
【００３７】
天板部１６１と傾斜部１６２ａ及び１６２ｂの両側端部には、フランジ１６３ａ及び１６３ｂが設けられている。フランジ１６３ａ及び１６３ｂは、天板部１６１と傾斜部１６２ａ及び１６２ｂの面と直交する方向に突出している。フランジ１６３ａ及び１６３ｂの高さは、天板部１６１の部分において１０ｍｍ程度である。フランジ１６３ａ及び１６３ｂの高さは、傾斜部１６２ａ及び１６２ｂの天板部１６１とは反対側の端部に向かうに従って順に低くなっている。
【００３８】
天板部１６１及び傾斜部１６２ａ及び１６２ｂは、１枚のステンレス板を折り曲げることによって形成されている。フランジ１６３ａ及び１６３ｂは、天板部１６１と傾斜部１６２ａ及び１６２ｂの両側端部に溶接されて、天板部１６１と傾斜部１６２ａ及び１６２ｂと一体化されている。
【００３９】
図５に示すように、連結板１３ａ及び１３ｂの第２の部分１３０２は、傾斜部１６２ａ及び１６２ｂと同じ傾斜角度を有する。第２の部分１３０２は、皿ねじ１５ａ及び１５ｂによって傾斜部１６２ａ及び１６２ｂに固定されている。連結板１３ａ及び１３ｂは、金具１２と点流速センサ用カバー１６とを連結している。
【００４０】
図５に示す構成例においては、点流速センサ１０、金具１２、連結板１３ａ及び１３ｂ、点流速センサ用カバー１６が点流速検出装置１００を構成している。少なくとも点流速センサ１０と点流速センサ用カバー１６で点流速検出装置１００を構成してもよい。
【００４１】
図７は、Ｌアングル３０に固定した点流速検出装置１００を正面から見た状態を示している。点流速センサ１０は、鉛直方向の設置面に取り付けられている。構造物３００の表面または金具１２の天板部１２０１が設置面である。この状態で、点流速センサ１０のケース１０１は、鉛直方向と平行の方向の底面と、底面と対向する天面と、河床側を向く下面と、下面と対向する上面と、水流としての順流が当たる側の上流側側面と、水流としての逆流が当たる側の逆流側側面とを有する。蓋１０１ｂの上面が天面である。
【００４２】
点流速センサ用カバー１６における天板部１６１は、ケース１０１の天面を覆っている。傾斜部１６２ａ（第１の傾斜部）は、ケース１０１の上流側側面を覆い、点流速センサ１０から離れた位置から点流速センサ１０に近付くに従って、設置面側から天板部１６１側へと向かうように傾斜して天板部１６１に繋がっている。傾斜部１６２ｂ（第２の傾斜部）は、ケース１０１の逆流側側面を覆い、点流速センサ１０から離れた位置から点流速センサ１０に近付くに従って、設置面側から天板部１６１側へと向かうように傾斜して天板部１６１に繋がっている。
【００４３】
点流速センサ用カバー１６よりも下方を流れる順流Ｗｃ１は、検知アーム１１１を回転させる。傾斜部１６２ａに当たった順流Ｗｃ２が下方へと流れたとする。フランジ１６３ａは、下方へと流れた順流Ｗｃ２がケース１０１の下方へと流れることを抑制するので、順流Ｗｃ２が検知アーム１１１を回転させる力を低減させることができることから、乱流の発生を低減できるとともに順流Ｗｃ１のみを検知しやすくなる。よって、点流速検出装置１００によれば、点流速をより正確に検出することができる。点流速センサ用カバー１６によれば、点流速センサ１０によって点流速をより正確に検出することができる。
【００４４】
点流速センサ用カバー１６は、天板部１６１と傾斜部１６２ａ及び１６２ｂにおける少なくともケース１０１の下面側の側端部に設けられたフランジ１６３ａを備えればよい。図７に示すように、フランジ１６３ａがケース１０１の下面と鉛直方向の同じ位置となるように、点流速センサ１０と点流速センサ用カバー１６とが互いに位置決めされていることが好ましい。フランジ１６３ｂは、ケース１０１の上面よりも上方に位置していることが好ましい。
【００４５】
図８を用いて、点流速検出装置１００（点流速センサ１０）が検出した点流速の検出値がどのように利用されるかを説明する。図８に示すように、点流速センサ１０には、データ送信部２０が接続されている。データ送信部２０は、点流速センサ１０が取り付けられている支柱の上方に、点流速センサ１０とは所定距離だけ離隔した状態で取り付けられている。
【００４６】
データ送信部２０は、ケーブル１３１を介して点流速センサ１０から供給されるデジタル値の検出値をレベル変換するレベル変換器２１、検出値を点流速データに変換する中央処理装置２２（以下、ＣＰＵ２２）、点流速データを無線送信する無線機２３を備える。また、データ送信部２０は、データ送信部２０内の各部及び点流速センサ１０に電力を供給する電源部２４を備える。電源部２４は、ソーラーパネル及び充電池であってもよいし、予め充電された充電池または乾電池であってもよい。
【００４７】
図８に示す構成においては、ケーブル１３１は、点流速センサ１０が検出した点流速の検出値をデータ送信部２０に供給するケーブルと、電源部２４からの電力を点流速センサ１０に供給するケーブルとよりなる。
【００４８】
無線機２３は、点流速センサ１０が検出したベース１０３の回転方向の角度に基づく点流速データを中継局または河川を監視する監視事務所へと送信する。
【００４９】
本発明は以上説明した本実施形態に限定されるものではなく、本発明の要旨を逸脱しない範囲において種々変更可能である。図１〜図４Ｂに示す点流速センサ１０は、点流速が０ｍ／ｓとなったときに検知アームを０点に戻しやすくするように構成した点流速センサとしての好ましい構成例を示している。点流速センサの具体的な構成は図１〜図４Ｂに示す点流速センサ１０に限定されるものではない。但し、点流速センサを、図１〜図４Ｂに示す点流速センサ１０とすることが好ましい。
【符号の説明】
【００５０】
１０  点流速センサ
１２  金具
１３ａ，１３ｂ  連結板
１６  点流速センサ用カバー
３０  Ｌアングル
１０１  ケース
１０１ａ  ケース本体
１０１ｂ  蓋
１０２  開口
１０３  ベース
１０５  加速度センサユニット
１０７〜１０９  重り板
１１１  検知アーム
１２１  回転軸
１２５  ステレンスパイプ
１２６  無給油ブッシュ
１３１  ケーブル
１３２，１３３  突出部
１６１  天板部
１６２ａ，１６２ｂ  傾斜部
１６３ａ，１６３ｂ  フランジ
３００  構造物
【図１】
2022003313.tif 000003
【図２】
2022003313.tif 000004
【図３】
2022003313.tif 000005
【図４Ａ】
2022003313.tif 000006
【図４Ｂ】
2022003313.tif 000007
【図５】
2022003313.tif 000008
【図６】
2022003313.tif 000009
【図７】
2022003313.tif 000010
【図８】
2022003313.tif 000011